(57)【要約】【課題】タイマ予約が設定されている場合に外部からの電源の供給が停止した状態が継続することを防止する電子機器を提供する。【解決手段】電源部２１では、外部からの電源を、内部で使用する波形（直流）及び電圧に変換する。電源部２１に電源が供給されている場合は、予備電源部２２の充電が行われる。警報部２８は、ユーザに対して、警告を発する。制御部２９は、電子機器２０全体の制御を行うとともに、日付と時刻をカウントする時計部とタイマ予約情報を記憶するメモリ部を含む。ＳＷ３（３２）は警報部２８への電源の供給をオン・オフするスイッチであり、通常はオフになっているが、警報を発する際に、制御部２９はこれをオンにする。【選択図】図１
2007124777.tif 000002
【特許請求の範囲】
【請求項１】
電子機器の主要動作を行う主装置部と、
電子機器の外部から供給された電源を電子機器の内部で使用する電源に変換し、電子機器の内部に供給する電源部と、
前記電源部に電子機器の外部から電源が供給されている場合には前記電源部から供給される電源を使用して充電を行い、電子機器の外部から電源が供給されなくなった場合には電子機器の内部の必要とされる箇所に電源を供給する予備電源部と、
前記主装置部、前記電源部、前記予備電源部を制御する制御部とを備え、
前記制御部は主装置部の動作のタイマ予約を行う機能を備え、
前記制御部は、前記電源部への電源供給の停止を検出した場合に、この制御部への電源供給元を前記電源部から前記予備電源部に切り替えると共に、前記電源部への電源供給の再開を検出した場合に、この制御部への電源供給元を前記予備電源部から前記電源部に切り替える電子機器であって、
警報を発する警報部を備え、
前記制御部は、前記電源部への電源供給の停止を検出し、且つ、主装置部を動作させるタイマ予約が設定されている場合に、前記予備電源部から前記警報部への電源供給を開始し、前記警報部に警報を開始させ、また、前記電源部への電源供給の再開が検出された場合に、前記警報部に警報を停止させ、前記予備電源部から前記警報部への電源の供給を停止することを特徴とする電子機器。
【請求項２】
電子機器の主要動作を行う主装置部と、
電子機器の外部から供給された電源を電子機器の内部で使用する電源に変換し、電子機器の内部に供給する電源部と、
前記電源部に電子機器の外部から電源が供給されている場合には前記電源部から供給される電源を使用して充電を行い、電子機器の外部から電源が供給されなくなった場合には電子機器の内部の必要とされる箇所に電源を供給する予備電源部と、
前記主装置部、前記電源部、前記予備電源部を制御する制御部とを備え、
前記制御部は主装置部の動作のタイマ予約を行う機能を備え、
前記制御部は、前記電源部への電源供給の停止を検出した場合に、この制御部への電源供給元を前記電源部から前記予備電源部に切り替えると共に、前記電源部への電源供給の再開を検出した場合に、この制御部への電源供給元を前記予備電源部から前記電源部に切り替える電子機器であって、
警報を発する警報部を備え、
前記制御部は、前記電源部への電源供給の停止を検出し、且つ、この時点から所定時間経過後までの間に主装置部を動作させるタイマ予約が設定されている場合に、前記予備電源部から前記警報部への電源供給を開始し、前記警報部に警報を開始させると共に、前記電源部への電源供給の再開が検出された場合に、前記警報部に警報を停止させ、前記予備電源部から前記警報部への電源の供給を停止することを特徴とする電子機器。
【請求項３】
前記制御部は、経過時間を計測する機能を備え、前記電源部への電源供給の停止を検出した時点から所定時間経過後においても前記電源部への電源供給が再開しない場合に、前記警報部に警報を停止させ、前記予備電源部から前記警報部への電源の供給を停止することを特徴とする請求項１又は２に記載の電子機器。
【発明の詳細な説明】
【技術分野】
【０００１】
本発明は、外部からの電源の供給が停止した場合に、内蔵された予備電源部から電源を供給する電子機器に関するものであり、詳しくは、停電や電源プラグ抜け等により外部からの電源の供給が停止した場合に、内部時計及びタイマ予約内容を予備電源部から電源を供給することにより保護する、タイマ予約機能を備えた録画機器に関する。
【背景技術】
【０００２】
近年、節電の機運が高まっており、消費電力及び待機電力の少ない電子機器の開発が進められる一方、ユーザの間では待機電力の消費をなくすために、スイッチ付きテーブルタップを使用し、電子機器への電源の供給を停止することが多くなってきた。このため、タイマ予約を設定しているにも係わらず、電子機器への電源の供給を停止してしまい、タイマ予約が実行されない危険性が一層高まってきている。
【０００３】
特許文献１には、外部からの電源の供給が停止した場合に、内蔵する予備電源部から電源を供給するようにする技術が開示されている。この技術によれば、電子機器内部の時計やタイマ予約データを保護することができるため、例えば、うっかりテーブルタップのスイッチを切り、外部からの電源の供給を停止したとしても、すぐにテーブルタップのスイッチを入れれば、その後のタイマ予約は問題なく実行される。
【０００４】
【特許文献１】特開平１１−４１８０６号公報
【発明の開示】
【発明が解決しようとする課題】
【０００５】
一般に、タイマ予約機能を備えた録画機器などの電子機器では、電源ボタンを操作して電源を切った状態であっても、待機状態となって、電源部から電子機器自体の制御を行うために必要な部分や消失した場合に再設定が煩わしいようなデータを記憶している部分には電源を供給するようにしている。更に、停電などで電源供給が停止し電源部から電源が供給できなくなった場合でも、内蔵された予備電源部から、電子機器自体の制御を行うために必要な部分や消失した場合に再設定が煩わしいようなデータを記憶している部分には電源を供給するようにしている。例えば、ビデオテープレコーダのような録画機器では、内蔵された予備電源部からは、制御部（日付及び時刻をカウントする時計部並びにチャンネル情報及びタイマ予約内容を記憶するメモリ部を含む）のような消費電力の少ない部分には電源は供給されるが、主装置部（録画や再生等の該装置の主たる動作を行う部分であって、モータ等の駆動装置を含む）のように消費電力の多い部分には電源は供給されない。従って、特許文献１に記載の技術では、タイマ予約を設定しているにも係わらず、タイマ予約を設定していないとユーザが勘違いし、外部からの電源の供給が停止されたままの状態でタイマ予約の時刻を経過してしまうと、タイマ予約が実行されないという問題があった。
【０００６】
本発明は、上述の問題点に鑑みてなされたものであり、タイマ予約が設定されている場合に外部からの電源の供給が停止した状態が継続することを防止する電子機器を提供することを目的とする。
【課題を解決するための手段】
【０００７】
請求項１に記載の電子機器は、電子機器の主要動作を行う主装置部と、電子機器の外部から供給された電源を電子機器の内部で使用する電源に変換し、電子機器の内部に供給する電源部と、前記電源部に電子機器の外部から電源が供給されている場合には前記電源部から供給される電源を使用して充電を行い、電子機器の外部から電源が供給されなくなった場合には電子機器の内部の必要とされる箇所に電源を供給する予備電源部と、前記主装置部、前記電源部、前記予備電源部を制御する制御部とを備え、前記制御部は主装置部の動作のタイマ予約を行う機能を備え、前記制御部は、前記電源部への電源供給の停止を検出した場合に、この制御部への電源供給元を前記電源部から前記予備電源部に切り替えると共に、前記電源部への電源供給の再開を検出した場合に、この制御部への電源供給元を前記予備電源部から前記電源部に切り替える電子機器であって、警報を発する警報部を備え、前記制御部は、前記電源部への電源供給の停止を検出し、且つ、主装置部を動作させるタイマ予約が設定されている場合に、前記予備電源部から前記警報部への電源供給を開始し、前記警報部に警報を開始させ、また、前記電源部への電源供給の再開が検出された場合に、前記警報部に警報を停止させ、前記予備電源部から前記警報部への電源の供給を停止することを特徴とする。
【０００８】
請求項１に記載の電子機器によれば、外部からの電源の供給が停止した際に、タイマ予約が設定されていた場合、警報を発してユーザに注意を喚起し、外部からの電源の供給が停止した状態が継続することを防止することで、タイマ予約が実行されない可能性を低減することができる。
【０００９】
請求項２に記載の電子機器は、電子機器の主要動作を行う主装置部と、電子機器の外部から供給された電源を電子機器の内部で使用する電源に変換し、電子機器の内部に供給する電源部と、前記電源部に電子機器の外部から電源が供給されている場合には前記電源部から供給される電源を使用して充電を行い、電子機器の外部から電源が供給されなくなった場合には電子機器の内部の必要とされる箇所に電源を供給する予備電源部と、前記主装置部、前記電源部、前記予備電源部を制御する制御部とを備え、前記制御部は主装置部の動作のタイマ予約を行う機能を備え、前記制御部は、前記電源部への電源供給の停止を検出した場合に、この制御部への電源供給元を前記電源部から前記予備電源部に切り替えると共に、前記電源部への電源供給の再開を検出した場合に、この制御部への電源供給元を前記予備電源部から前記電源部に切り替える電子機器であって、警報を発する警報部を備え、前記制御部は、前記電源部への電源供給の停止を検出し、且つ、この時点から所定時間経過後までの間に主装置部を動作させるタイマ予約が設定されている場合に、前記予備電源部から前記警報部への電源供給を開始し、前記警報部に警報を開始させると共に、前記電源部への電源供給の再開が検出された場合に、前記警報部に警報を停止させ、前記予備電源部から前記警報部への電源の供給を停止することを特徴とする。
【００１０】
請求項２に記載の電子機器によれば、外部からの電源の供給が停止した際に、タイマ予約が設定されていた場合、警報を発してユーザに注意を喚起し、外部からの電源の供給が停止した状態が継続することを防止することで、タイマ予約が実行されない可能性を低減することができる。更に、タイマ予約時刻まで所定時間Ａ以上の時間がある場合は警報を発しないようにすることで、警報の発生頻度を低減できる（具体的には、例えば、一週間以上、電源を入れない状態が継続するようなことがない場合（即ち、少なくとも一週間以内には電源を再度オンする場合）、所定時間Ａとして一週間を設定すれば、タイマ予約が一週間後以降であれば警報は発しないが、一週間以内には電源が再度オンされることが期待されるため、実使用上、問題にはならない）。
【００１１】
請求項３に記載の電子機器は、請求項１又は２において、前記制御部は、経過時間を計測する機能を備え、前記電源部への電源供給の停止を検出した時点から所定時間経過後においても前記電源部への電源供給が再開しない場合に、前記警報部に警報を停止させ、前記予備電源部から前記警報部への電源の供給を停止することを特徴とする。
【００１２】
請求項３に記載の電子機器によれば、最長でも所定時間Ｃまでしか警報を発することはないため、いつまでも警報を発し続けることを防止できる。
【発明の効果】
【００１３】
本発明によれば、外部からの電源の供給が停止した際に、タイマ予約が設定されていた場合、警報を発してユーザに注意を喚起し、外部からの電源の供給が停止した状態が継続することを防止することで、タイマ予約が実行されない可能性を低減した電子機器を提供することができる。
【発明を実施するための最良の形態】
【００１４】
本発明の実施の形態を、図面を参照して説明する。なお、以下の実施例は本発明の具体例に過ぎず、本発明が以下の実施形態に限定されるものではない。
【００１５】
図１は、本実施例の電子機器２０の構成を示す図である。この電子機器２０は、電源部２１、予備電源部２２、主装置部２３、操作入力部２５、リモコン受信部２６、警報部２８、制御部２９、ＳＷ１（３０）、ＳＷ２（３１）、ＳＷ３（３２）を備える。
【００１６】
コンセント１０に電源プラグ１１を挿し込み、電子機器２０の内部の電源部２１に電源が供給される。電源部２１では、外部からの電源を、内部で使用する波形（直流）及び電圧に変換し、各部に供給する。電源部２１に電源が供給されている場合は、予備電源部２２の充電が行われる。主装置部２３は、この電子機器２０の主たる動作を行う部分である。操作入力部２５は、この電子機器２０に設けられたボタン（電源キー、等）の操作情報を制御部２９に送信する。リモコン受信部２６は、リモコン送信機２７が送信した情報を受信し、制御部２９に送信する。警報部２８は、ユーザに対して、警告を発する。制御部２９は、マイコンで構成され、電子機器２０全体の制御を行うとともに、日付と時刻をカウントする時計部とタイマ予約情報を記憶するメモリ部を含む。
【００１７】
ＳＷ１（３０）は、電源部２１から主装置部２３への電源の供給をオン・オフするスイッチであり、通常はオンになっているが、待機状態の時、及び電源部２１への外部からの電源の供給の停止が検出された際、制御部２９はこれをオフにする。ＳＷ２（３１）は、制御部２９への電源供給元を電源部２１にするか予備電源部２２にするかを切り替えるスイッチであり、通常は電源部２１になっているが、電源部２１への外部からの電源の供給の停止が検出された際、制御部２９はこれを予備電源部２２にする。ＳＷ３（３２）は警報部２８への電源の供給をオン・オフするスイッチであり、通常はオフになっているが、警報を発する際に、制御部２９はこれをオンにする。
【００１８】
このように構成された電子機器における動作を図２に示すフローチャートを使用して説明する。
【００１９】
通常、電子機器２０は、ステップＳ２１０の待機状態にある。続くステップＳ２２０では、制御部２９は、電源部２１への外部からの電源供給の停止を検出したかを判断し、停止を検出した場合はステップＳ２３０に進み、そうでない場合はステップＳ２２０に進む。
【００２０】
ステップＳ２３０では、制御部２９は、ＳＷ２（３１）を操作して、制御部２９への電源の供給元を、電源部２１から予備電源部２２に切り替え、ステップＳ２４０に進む。ステップＳ２４０では、制御部２９は、タイマ予約が設定されているかを判断し、設定されている場合はステップＳ２５０に進み、そうでない場合はステップＳ３１０に進む。
【００２１】
ステップＳ２５０では、制御部２９は、「所定時間Ａ」以内にタイマ予約があるかを判断し、ある場合はステップＳ２６０に進み、そうでない場合はステップＳ３１０に進む。
【００２２】
ステップＳ２６０では、制御部２９は、ＳＷ３（３２）をオンにして、警報部２８に予備電源部２２から電源を供給するようにし、続くステップＳ２７０では、制御部２９は、警報部２８に警報を開始させ、ステップＳ２８０に進む。
【００２３】
ステップＳ２８０では、制御部２９は、外部からの電源の供給が停止してから「所定時間Ｃ」が経過したかを判断し、経過した場合はステップＳ２９０に進み、そうでない場合はステップＳ４１０に進む。
【００２４】
ステップＳ２９０では、制御部２９は、警報部２８に警報を停止させ、続くステップＳ３００では、制御部２９は、ＳＷ３（３２）をオフにして、警報部２８への予備電源部２２からの電源の供給を停止し、ステップＳ３１０に進む。
【００２５】
ステップＳ３１０では、制御部２９は、外部からの電源供給の停止を検出してから「所定時間Ｂ」が経過したかを判断し、経過した場合はステップＳ３２０に進み、そうでない場合はステップＳ３９０に進む。
【００２６】
ステップＳ３２０では、制御部２９は、ＳＷ２（３１）を操作して、制御部２９への電源の供給元を、予備電源部２２から電源部２１に切り替え、続くステップＳ３３０では、制御部２９への電源供給が停止し、制御部の動作は停止し、ステップＳ３４０に進む。
【００２７】
ステップＳ３４０では、外部からの電源供給が再開した場合は、ステップＳ３５０に進み、そうでない場合はステップＳ３４０に進む。
【００２８】
ステップＳ３５０では、制御部２９が動作を再開し、続くステップＳ３６０では、電子機器２０は待機状態となり、ステップＳ３７０に進む。
【００２９】
ステップＳ３７０では、制御部２９は、操作入力部２５又はリモコン送信機２７の「電源キー」が押されたか判断し、押された場合はステップＳ３８０に進み、そうでない場合はステップＳ３７０に進む。
【００３０】
ステップＳ３８０では、制御部２９は、電子機器２０の電源をオンし、時刻設定画面を表示した後、「エンド」に進む。
【００３１】
ステップＳ３９０では、制御部２９は、外部からの電源供給の再開を検出したかを判断し、検出した場合はステップＳ４００に進み、そうでない場合はステップＳ３９０に進む。
【００３２】
ステップＳ４００では、制御部２９は、ＳＷ２（３１）を操作して、制御部２９への電源の供給元を、予備電源部２２から電源部２１に切り替え、ステップＳ２１０に進む。
【００３３】
ステップＳ４１０では、制御部２９は、外部からの電源供給の再開を検出したかを判断し、検出した場合はステップＳ４２０に進み、そうでない場合はステップＳ４１０に進む。
【００３４】
ステップＳ４２０では、制御部２９は、警報部２８に警報を停止させ、続くステップＳ４３０では、制御部２９は、ＳＷ３（３２）をオフにして、警報部２８への予備電源部２２からの電源の供給を停止し、ステップＳ４４０に進む。
【００３５】
ステップＳ４４０では、制御部２９は、ＳＷ２（３１）を操作して、制御部２９への電源の供給元を、予備電源部２２から電源部２１に切り替え、続くステップＳ４５０では、電子機器２０は待機状態となり、ステップＳ４６０に進む。
【００３６】
ステップＳ４６０では、制御部２９は、操作入力部２５又はリモコン送信機２７の「電源キー」が押されたか判断し、押された場合はステップＳ４７０に進み、そうでない場合はステップＳ４６０に進む。
【００３７】
ステップＳ４７０では、制御部２９は、電子機器２０の電源をオンし、タイマ予約一覧表を表示した後、「エンド」に進む。
【００３８】
このようにして、外部からの電源の供給が停止した際に、タイマ予約が設定されていた場合、警報を発してユーザに注意を喚起し、外部からの電源の供給が停止した状態が継続することを防止することで、タイマ予約が実行されない可能性を低減した電子機器を提供することができる。
【００３９】
ここで、所定時間Ａとしては、１２時間以上１週間以下、好ましくは２４時間を用いる（電源の供給が停止したとしても、２４時間以内には、供給が再開すると考えられる）。所定時間Ｂとしては、１０分以上６０分以下、好ましくは３０分を用いる（予備電源部の電源供給可能時間はできるだけ長い方が良いが、その分予備電源部の蓄電量を大きくするためのコストアップになることから、予備電源部の電源供給可能時間は、一般的に３０分程度のものが多いため）。所定時間Ｃとしては、１分以上１０分以下、好ましくは５分を用いる（警報を発する時間としては、５分程度あれば、ユーザに注意喚起できる）。
【００４０】
なお、警告部２８の警告の方法としては、電子機器２０の本体に設置された発光ダイオードを点滅させたり、色を変えたりしても良いし、電子機器２０の表示部の表示を点滅させたり、この表示部に警告メッセージを表示させたりしても良いし、音（音声、音楽、ブザー、ベル音、等）を出したり、電子機器２０自体を振動させたりしても良い。
【図面の簡単な説明】
【００４１】
【図１】実施例の構成を示す図である。
【図２】実施例の動作を説明するフローチャートを示す図である。
【図３】従来の電子機器の構成を示す図である。
【符号の説明】
【００４２】
２８  警報部
２９  制御部（マイコン）
３２  ＳＷ３
【図１】
2007124777.tif 000003
【図２】
2007124777.tif 000004
【図３】
2007124777.tif 000005